(57)【要約】    【課題】  光ディスクのレーベル面に光ビームを用いてマーキングする。    【解決手段】  光ディスク１００は、レーベル面１０２を下向きにした状態でスピンドル５０６Ａに載置される。マーキングに用いられるビームソース５０２Ａは、光ディスクの半径方向に移動可能なスレッド５０８Ａ上に設置される。光ディスクの回転と、スレッドの移動との組み合わせによってレーベル面の任意の位置にマーキングをすることができる。このとき、光ディスクの回転を比較的高速にすることにより回転精度の向上を図り、マーキングされる画像の精度も向上させる。光ディスクを回転させながら、レーベル面上でマーキングされる領域のそれぞれの位置あるいはピクセルに対して複数回のレーザ照射をすることにより、マーキングされるイメージの濃度が確保される。    【選択図】    図５
2005317192.tif 000002
【特許請求の範囲】
【請求項１】
光ディスクの、光学的に書き込み可能なレーベル面に光マーキングによってラベリングする方法であって、
光マーキング機構が前記光ディスクの前記光学的に書き込み可能なレーベル面のトラックの近傍を２回以上の回数にわたって通過するように前記光ディスクを回転させることと、
前記光マーキング機構が前記トラックの近傍を通過する各回中に、前記光マーキング機構により、複数の位置の中の、所望の各位置にマークを書き込むことと、
を含み、
前記所望の各位置には、前記光マーキング機構が前記トラックの近傍を通過する回数と等しい数のマークが前記光マーキング機構によって書き込まれる
ことを特徴とする方法。
【請求項２】
前記光マーキング機構を前記トラックから前記光ディスクの前記光学的に書き込み可能なレーベル面の次のトラックに進めること
をさらに含むことを特徴とする、請求項１に記載の方法。
【請求項３】
前記光ディスクを回転させることは、前記光ディスクを第２の速度よりも高速な第１の速度で回転させることを含み、前記第１の速度は、前記光マーキング機構が前記光ディスクの前記光学的に書き込み可能なレーベル面の前記トラックの近傍を通過する回数に前記第２の速度を掛けた値以上であることを特徴とする、請求項１に記載の方法。
【請求項４】
前記第１の速度は、前記光マーキング機構が前記光ディスクの前記光学的に書き込み可能なレーベル面の前記トラックの近傍を通過する回数に前記第２の速度を掛けた値に等しいことを特徴とする、請求項３に記載の方法。
【請求項５】
前記光ディスクが前記第１の速度で回転している間に、前記光マーキング機構が前記所望の各位置に前記数のマークを書き込むことに費やす累積時間量は、前記光ディスクが前記第２の速度で回転した場合に、前記光マーキング機構が前記所望の各位置に単一のマークを書き込むことに費やす時間の長さ以上であることを特徴とする、請求項３に記載の方法。
【請求項６】
前記光ディスクが前記第１の速度で回転している間に、前記光マーキング機構が前記所望の各位置に前記数のマークを書き込むことに費やす前記累積時間量は、前記光ディスクが前記第２の速度で回転した場合に、前記光マーキング機構が前記所望の各位置に単一のマークを書き込むことに費やす時間の長さに等しいことを特徴とする、請求項５に記載の方法。
【請求項７】
前記光ディスクが前記第１の速度で回転している間に、前記光マーキング機構が前記数のマークを前記所望の各位置に書き込むことから得られる前記所望の各位置における濃度は、前記光ディスクが前記第２の速度で回転した場合に、前記光マーキング機構が１つのマークを前記所望の各位置に書き込むことから得られる濃度とほぼ同じであることを特徴とする、請求項３に記載の方法。
【請求項８】
前記光ディスクが前記第１の速度で回転している間に、前記光マーキング機構が前記数のマークを前記所望の各位置に書き込むことから得られる前記所望の各位置でのマークサイズは、前記光ディスクが前記第２の速度で回転した場合に、前記光マーキング機構が１つのマークを前記所望の各位置に書き込むことから得られる前記複数の位置の中の前記所望の各位置でのマークサイズにほぼ等しいことを特徴とする、請求項３に記載の方法。
【請求項９】
前記光マーキング機構が前記トラックの近傍を通過する各回中に、前記光マーキング機構による前記複数の位置の中の所望の各位置に前記マークを書き込むことは、前記光マーキング機構の同一のマーキング強度で各位置に前記マークを書き込むことを含むことを特徴とする、請求項１に記載の方法。
【発明の詳細な説明】
【技術分野】
【０００１】
本発明は、光ディスクのレーベル面への光によるマーキングに関する。
【背景技術】
【０００２】
多くのタイプの光ディスクは、データ面およびレーベル面を備える。データ面にはデータが書き込まれるのに対して、レーベル面には、ユーザが光ディスクにラベリングすることができる。不都合なことに、ラベリングは専門家によるものではなく、面倒、かつ／または高価な作業であり得る。マーカを使用して光ディスク上に書き込むことができるが、結果は明らかに専門家によるものではない外観になる場合が多い。インクジェットプリンタまたは他のタイプのプリンタを使用してプリントすることができる特別な予めカットされたラベルを使用することもできるが、これは、ラベルを注意深くディスク上に位置決めしなければならない等、面倒な作業である。ディスク上に直接プリントする専用プリンタを使用することができるが、このようなプリンタは比較的高価である。２００１年１０月１１日に出願され、米国特許出願第０９／９７６，８７７号が付与された「Integrated CD/DVD Recording and Label」という名称の特許出願では、レーザを使用して光ディスクをラベリングする、こういった問題への解決策が記載されている。
【発明の開示】
【発明が解決しようとする課題】
【０００３】
光ディスクの、光により書き込み可能なレーベル面にマークを光で書き込むと、ディスクが回転するので、光ディスクのレーベル面の所望位置の近くでレーザがオンになる。光ディスクのレーベル面の材質により、コントラストが十分なマークを光学的に書き込むには、所与の時間の間、レーザが光ディスクのレーベル面の各所望位置の近くに配置された状態のままである必要がある場合がある。この時間の長さは光ディスクの回転速度に制約を課し、ディスクの回転速度は、たとえば、光ディスクの光学的に書き込み可能なデータ面に書き込む場合よりも遅くする必要があり得る。大容量記憶装置に通常採用されるモータは、光ディスクをこのより遅い所望速度で、ディスクをより高速で回転させることができる回転精度と同じ回転精度で回転させることができない場合があり、これにより、最適なラベリング品質に満たないものになる場合がある。
【課題を解決するための手段】
【０００４】
本発明は、光ディスクの、光学的に書き込み可能なレーベル面に光マーキングによってラベリングする方法に適用され、
光マーキング機構が前記光ディスクの前記光学的に書き込み可能なレーベル面のトラックの近傍を２回以上の回数にわたって通過するように前記光ディスクを回転させることと、
前記光マーキング機構が前記トラックの近傍を通過する各回中に、前記光マーキング機構により複数の位置の中の所望の各位置にマークを書き込むことと、
を含み、
前記所望の各位置には、前記光マーキング機構が前記トラックの近傍を通過する回数と等しい数のマークが前記光マーキング機構によって書き込まれることにより、上述した課題を解決する。
【０００５】
ある態様においては、前記光ディスクを回転させることは、前記光ディスクを第２の速度よりも高速な第１の速度で回転させることを含み、前記第１の速度は、前記光マーキング機構が前記光ディスクの前記光学的に書き込み可能なレーベル面の前記トラックの近傍を通過する回数に前記第２の速度を掛けた値以上であることを特徴とすることができる。
【０００６】
本明細書において参照する図面は本明細書の一部を成す。図面に示す特徴は、特に明示される場合を除き、本発明のすべての実施形態ではなく、本発明のいくつかの実施形態のみの例示を示すことを意図する。
【発明を実施するための最良の形態】
【０００７】
以下の本発明の例示的な実施形態についての詳細な説明では、本明細書の一部を成し、本発明を実施することができる特定の例示的な実施形態を例示として示す添付図面を参照する。これら実施形態について、当業者が本発明を実施することができるように十分に詳細に説明する。他の実施形態を利用することも可能であり、本発明の精神または範囲から逸脱しない範囲で、論理的、機械的、および他の変更を行うことが可能である。したがって、以下の詳細な説明は限定の意味で解釈されるべきではなく、本発明の範囲は添付の特許請求の範囲によってのみ規定される。
【０００８】
−  光ディスクの光学的に（光により）書き込み可能な
レーベル面のトラックへのマルチパス（複数回）書き込み  −
図１は、本発明の一実施形態による光ディスク１００を示す。光ディスク１００は、コンパクトディスク（ＣＤ）、デジタル多用途ディスク（ＤＶＤ）、または別のタイプの光ディスクであることができる。光ディスク１００は、図１に示す光学的に（光を用いて）書き込み可能なレーベル面１０２、および光ディスク１００の反対側の光学的に書き込み可能なデータ面１０４を有する。光学的に書き込み可能なレーベル面１０２の一例が、２００１年１０月１１日に出願され、米国特許出願第０９／９７６，８７７号が付与された「Integrated CD/DVD Recording and Label」という名称の特許出願に詳細に開示されている。光学的に書き込み可能なレーベル面１０２には、カラーおよび／または白黒もしくは単色での書き込みが可能である。
【０００９】
光ディスク１００は、内縁（内周側の端部）１１０および外縁（外周側の端部）１１２を有する。光ディスク１００は、内縁１１０または内径から外縁１１２または外径に延在する、まとめてトラック１０６と呼ぶ複数の同心円形トラック１０６Ａ、１０６Ｂ、１０６Ｃ、・・・、１０６Ｎも有する。レーザ等の光マーキング機構が、マークをトラック１０６のピクセルまたは位置に書き込むことができる。たとえば、光ディスク１００が回転するときに、レーザは、所与の位置またはピクセルの近傍に配置されている間にオンになり、マークをその位置またはピクセルに書き込む。例示的な光ディスク上には、７００、８００といった数の、またはそれよりも多数または少数のトラック１０６があり得る。
【００１０】
本発明の少なくともいくつかの実施形態では、トラック１０６は光ディスク１００上、またはその一部上に刻印された物理的なトラックではなく、光ディスク１００のレーベル面１０２への光学的書き込みがどのように実現されるか、すなわちレーベル面１０２への光学的書き込みがトラック単位で実現されることの副産物であることに留意されたい。したがって、トラック１０６は物理的な性質のものではなく参照的な（概念的な）性質のものである。さらに、本発明の実施形態について、本明細書では図１に示す同心円形トラックに関連して説明するが、内縁１１０から外側に向かって渦を巻き、外縁１１２で終端するトラック等、他のタイプのトラック方式を採用することも可能である。
【００１１】
図２は、本発明の実施形態によるトラック１０６Ａの一部をより詳細に示す。トラック１０６Ａは、代表および例を目的として示すものであり、その他のトラック１０６も同様である。トラック１０６Ａは、矢印２０４および２０６で示すように、トラック１０６Ａの周りに（トラック１０６Ａに沿って）、集合的に「位置２０２」と呼ぶ複数の位置２０２Ａ、２０２Ｂ、・・・、２０２Ｎを有する。レーザ等の光マーキング機構は、マークを位置２０２のいずれにも書き込むことができる。光ディスク１００が回転するときに、位置２０２の中の様々な位置がレーザの下になる（レーザで照射されることの可能な位置となる）。位置２０２の中の所望の位置がレーザの下にある（レーザで照射されることの可能な位置にある）間に、レーザがオンになり、マークが所望の位置に書き込まれる。
【００１２】
光ディスク１００が低速で回転するときよりも高速で回転するときに、回転精度は高くなり得る。回転精度は、レーザが、オンになったときに、指定の所望位置の近傍に正しく配置されることを確実にする。すなわち、光ディスク１００が所与の速度で回転するときに、レーザを適宜オンにしてマークを所与の位置に書き込むことができるように、レーザ（レーザ光線）を正確に位置決めすることができる程度が決まる。回転精度が十分に高くない場合には、望ましくないことに、レーザがマークを書き込む位置が所望の位置に対して左または右にずれ、ラベリング品質が下がる恐れがある。回転精度は通常、光ディスク１００が高速で回転するときに高くなる。これは、光ディスク１００がより低速で回転するときと比較して、より高速で回転するときのほうが摩擦およびスティクション（静摩擦力、吸着）が問題にならないためである。
【００１３】
一実施形態では、回転精度は、光ディスク１００が比較的高速で回転するときのほうが高くなる。たとえば、回転精度は、光ディスクが、略２５０回転／分（ｒｐｍ）以下の速度で回転するときと比較して、略５００ｒｐｍ以上の速度で回転するときのほうが高い場合がある。回転精度は、より高速ではだいたい９９．９９８％よりも高くなり得るのに対して、より低速ではだいたい９９．９％未満であり得る。すなわち、高速と低速の間の光ディスク１００の回転精度差は０．０９８％よりも大きくなる場合があり、これは、ディスク１００が高速で回転するときと比較して、低速で回転するときのラベリング品質に影響を与えるに十分高いものである。当業者が理解することができるように、本明細書において示す具体的な数および精度は例を目的としたものであり、本発明のいかなる実施形態をも限定する役割を果たすものではない。
【００１４】
低速と比較して高速で回転するときに各位置２０２のサイズが確実に同じままであるようにするために、レーザまたは他の光マーキング機構が所与の位置またはピクセルに対してオンになる時間長は、高速時に短縮される。このようにされるのは、レーザがオンになっている間にディスクが回転し続けるためである。しかし、光ディスク１００の光学的に書き込み可能なレーベル面１０２の材質は、この短縮された時間長では、レーザが所望のコントラストまたは濃さを有するマークを各位置に書き込むのに不十分であるようなものである場合がある。所望のコントラストまたは濃さを実現するには、レーザにさらに露出させる必要がある。したがって、光マーキング機構は、光学的に書き込み可能なレーベル面１０２の各トラックの近傍を２回以上通過することができ、マークを書き込む各位置に対して、各パス中に（それぞれの通過時に）その位置の近傍にあるときにレーザがオンになる。
【００１５】
図３Ａおよび図３Ｂは、本発明の一実施形態により、第１のパスおよび第２のパス中に光マーキング機構がそれぞれマークを書き込んだ後の、光ディスク１００の光学的に書き込み可能なレーベル面１０２のトラック１０６Ａの一位置３０２を示す。図３Ａでは、位置３０２は、光マーキング機構が比較的短い時間の間、マークを位置３０２に書き込んだことから得られる比較的低いコントラストまたは濃さを有する。その後、光マーキング機構（からの光）はトラック１０６Ａの近傍を２回目として通過する。図３Ｂでは、光学書き込み機構がもう一度マークを同じ位置３０２に書き込んだため、位置３０２はこの段階で比較的高いコントラストまたは濃さを有する。すなわち、トラック１０６Ａの近傍を２度通過するそれぞれの間に位置３０２にマークを書き込むことにより、位置３０２のコントラストまたは濃さは、トラック１０６Ａの近傍を１度通過する間に位置３０２にマークを書き込むだけよりもより最適（好適）である。一実施形態では、光マーキング機構は、位置３０２の近傍を通過する都度、同じマーキング強度でマークを位置３０２に書き込む。
【００１６】
当業者が理解することができるように、光マーキング機構が各位置の近傍を通過する回数は３以上であってもよく、図３Ａおよび図３Ｂのシナリオに示す２回の通過は例を目的としたものである。また、光ディスク１００が比較的高速で回転している間にトラック１０６Ａの近傍を２回以上通過する各回で、位置３０２にマークを書き込むことから得られる最終的なコントラストまたは濃さは、ディスク１００が比較的低速で回転する間にトラック１０６Ａの近傍を１回通過する間に位置３０２にマークを書き込むことから得られるものとほぼ同じにすることができる。光ディスク１００が高速で回転する場合には、一実施形態では、光ディスク１００が低速で回転する場合に得られるものと同じコントラストまたは濃さになるように、各位置の近傍を複数回通過する必要があり得る。さらに、光ディスク１００が比較的高速で回転している間にトラック１０６Ａの近傍を２回以上通過する各回中に位置３０２にマークを書き込む結果得られる最終的なマークサイズは、ディスク１００が比較的低速で回転している間にトラック１０６Ａの近傍を一回通過する間に位置３０２にマークを書き込むことから得られるマークサイズとほぼ同じであり得る。
【００１７】
一実施形態では、光ディスク１００を所与の低速で回転させることにより、光マーキング機構が各位置の近傍をただ１回通過した後に、光ディスク１００の光学的に書き込み可能なレーベル面１０２上の各位置に最適な光学濃度のマークが形成されうる。しかし、この低速での回転精度は望ましくない場合がある。光ディスク１００の回転精度を上げるために、光ディスク１００が回転する速度を所与の倍数だけ上げると、一実施形態では、光マーキング機構がレーベル面１０２の各位置の近傍を通過する回数は、少なくともその所与の倍数だけ増える。たとえば、光ディスク１００の回転速度を２５０ｒｐｍから５００ｒｐｍに上げて回転精度を上げた場合、光マーキング機構がレーベル面１０２の各位置の近傍を通過する回数は、（５００／２５０）＝２以上である。
【００１８】
さらに、一実施形態では、光ディスク１００が回転する速度を上げると、ディスク１００の光学的に書き込み可能なレーベル面１０２の任意所与の位置またはピクセルの近傍に光マーキング機構が位置する（滞在する）時間は、各位置またはピクセルのサイズを同じに維持しようとすると短くなる。したがって、光マーキング機構が、書き込み中の所望の位置またはピクセルの近傍を高速で通過する総ての回数の間、その位置の近傍に位置する時間の累積は、光マーキング機構が低速で１回通過する間にこの位置の近傍に位置する時間と同じ、あるいはそれよりも長い時間であり得る。すなわち、光ディスク１００が高速で回転する間に所望の位置にマークを書き込むにあたって、すべての回数分にわたり光マーキング機構が費やす累積時間の長さは、ディスク１００が低速で回転する間に単一パス（一回の書き込み動作）でマークを位置に書き込むにあたって機構が費やす時間と同じ、あるいはそれよりも長い時間である。
【００１９】
図４は、本発明の一実施形態による、光ディスク１００の光学的に書き込み可能なレーベル面１０２のトラック１０６Ａおよび１０６Ｂの一部を示す。トラック１０６Ａは開始位置４０２Ａを含み、開始位置４０２Ａは、レーザ等の光マーキング機構が、トラック１０６Ａの近傍を通過する各回中にマークを書き込むように構成される最初の位置である。同様に、トラック１０６Ｂも開始位置４０２Ｂを含み、開始位置４０２Ｂは、光マーキング機構が、トラック１０６Ｂの近傍を通過する各回中にマークを書き込むことができる最初の位置である。したがって、レーベル面１０２の所与のトラックの近傍を複数回にわたって通過する各回の光マーキング機構の開始点は、一実施形態では同一である。さらに、レーベル面１０２の異なるトラックの近傍を複数回にわたって通過する各回の光マーキング機構の開始点は、一実施形態では、半径方向の線４０４で示すように角度的に同一である。すなわち、トラック１０６Ｂの開始位置４０２Ｂは、開始位置４０２Ａおよび４０２Ｂが角度的に同一となるように、トラック１０６Ａの開始位置４０２Ａの場合と同様に線４０４に接する。トラック１０６の開始位置４０２が角度的に同一である図４に示すシナリオは、本発明の一実施形態の例示であることに留意されたい。他の実施形態では、異なるトラックの開始位置は角度的に同一でなくてもよい。
【００２０】
−  大容量記憶装置および方法  −
図５は、本発明の一実施形態による大容量記憶装置５００を示す。大容量記憶装置５００は、光ディスク１００に対して読み出しおよび／または書き込みを行うためのものである。より具体的には、大容量記憶装置５００は、上述した発明の詳細な説明に従って、光ディスク１００の光学的に書き込み可能なデータ面および／または光ディスク１００の光学的に書き込み可能なレーベル面に対して読み出しおよび／または書き込みを行うためのものである。大容量記憶装置５００は、ビームソース（ビーム源）５０２Ａおよび対物レンズ５０２Ｂを備え、これらをまとめて光マーキング機構５０２と呼ぶ。記憶装置５００は、スピンドル５０６Ａ、スピンドルモータ５０６Ｂ、およびロータリーエンコーダ５０６Ｃも備え、これらをまとめて第１のモータ機構５０６と呼ぶ。ロータリーエンコーダ５０６Ｃは、モータ５０６Ｂから信号を受け取る、または検出するようにスピンドルモータ５０６Ｂに通信可能に結合されたものとして図５に示す。これと比較して、本発明の別の実施形態では、ロータリーエンコーダ５０６Ｃは、モータ５０６Ｂからではなく光ディスク１００から直接信号を受け取る、または検出することができる。装置５００は、スレッド５０８Ａ、スレッドモータ５０８Ｂ、リニアエンコーダ５０８Ｃ、およびレール５０８Ｄをさらに備え、これらをまとめて第２のモータ機構５０８と呼ぶ。最後に、大容量記憶装置５００はコントローラ５１０を備える。
【００２１】
光マーキング機構５０２は、光ディスク１００のレーベル面１０２に少なくともマーキングするために、レーザ等の光ビーム５０４を光ディスク１００上に集束させる。光マーキング機構５０２はまた、ディスク１００のレーベル面１０２からの読み出し、ならびにディスク１００のデータ面１０４への読み出しおよび／または書き込みにも使用することができる。具体的には、ビームソース５０２Ａは光ビーム５０４を発生し、光ビーム５０４は対物レンズ５０２Ｂを通して、当業者に既知の様式等で光ディスク１００上に集束する。第１のモータ機構５０６は光ディスク１００を回転させる。具体的には、光ディスク１００はスピンドル５０６Ａ上に置かれ、スピンドル５０６Ａがスピンドルモータ５０６Ｂによって、スピンドルモータ５０６Ｂに通信可能に結合されたロータリーエンコーダ５０６Ｃによって指定（検出）される所与の位置まで回転または移動する。ロータリーエンコーダ５０６Ｃは、ハードウェア、ソフトウェア、またはハードウェアとソフトウェアの組み合わせを含むことができる。
【００２２】
第１のモータ機構５０６が光ディスク１００を回転させる速度は、一実施形態では、光ディスク１００のレーベル面１０２にマークを書き込む速度と、光ディスク１００のデータ面１０４を読み出す、または書き込む速度と同じである。したがって、コントローラ５１０は、説明したように、各回において所与のマーキング強度のレーザで２回以上マークを書き込ませるように、光マーキング機構５０２にレーベル面１０２上の各位置の近傍を通過させる。ディスク１００は、所与のトラックに対してほぼ一定の角速度で第１のモータ機構５０６によって回転する。本発明の一実施形態では、角速度をトラック毎に変更して一定の線速度を実現することができる。
【００２３】
第２のモータ機構５０８は、光マーキング機構５０２を光ディスク１００に対して半径方向に移動させる。具体的には、光マーキング機構５０２はスレッド５０８Ａ上に置かれ、スレッド５０８Ａはスレッドモータ５０８Ｂによってレール５０８Ｄ上を、スレッドモータ５０８Ｂに通信可能に結合された直線エンコーダ５０８Ｃによって指定（検出）される所与の位置まで移動する。直線エンコーダ５０８Ｃは、ハードウェア、ソフトウェア、またはハードウェアとソフトウェアの組み合わせを含むことができる。一実施の形態では、コントローラ５１０は、説明したように、機構５０２が前のトラックの近傍を２回以上通過した後、光マーキング機構５０２を光ディスク１００のレーベル面１０２の１つのトラックからレーベル面１０２の別のトラックに半径方向に移動させる。すなわち、コントローラ５１０は、第１のモータ機構５０６および第２のモータ機構５０８を制御することにより、光マーキング機構５０２を進めさせ、機構５０２にトラックの近傍を複数回通過させる。コントローラ５１０は、トラックの近傍を通過する際の各々のパス（書き込み動作）において光マーキング機構５０２のマーキング強度を一定に保つことができる。
【００２４】
当業者であれば理解することができるように、大容量記憶装置５００に示す構成要素は本発明の一実施の形態を代表するものであり、本発明のすべての実施の形態を限定するものではない。他の制御手法を採用することも可能である。単なる一例として、スレッド５０８Ａをスレッドモータ５０８Ｂと共に配置してもよく、ビームソース５０２Ａおよび／または対物レンズ５０２Ｂに取り付けられたボイスコイルを使用してより細かい調整が行われる。
【００２５】
図６は、本発明の一実施形態による、光ディスク１００の光学的に（光で）書き込み可能なレーベル面１０２上に画像を光学的に書き込む方法６００を示す。図５の大容量記憶装置５００は、本発明の一実施形態において方法６００の少なくとも一部を行うことができる。たとえば、コントローラ５１０は方法６００を行うことができる。さらに、方法６００は、コンピュータ可読媒体に記憶され、コントローラ５１０またはプロセッサによって実行されるコンピュータプログラムとして実施することができる。コンピュータ可読媒体は揮発性媒体であっても、または不揮発性媒体であってもよく、また本発明の一実施形態では半導体、磁気、および／または光媒体であってよい。
【００２６】
まず、光ディスク１００は、一実施の形態において、所与のトラックに対してほぼ一定の角速度で回転する（６０２）。光マーキング機構５０２は、「機構５０２がトラックの近傍を通っている」と言うことができる程度に、光ディスク１００の光学的に書き込み可能なレーベル面１０２のトラックの近傍を通過する（本実施の形態において、実際には光ディスク１００が回転していて、機構５０２は光ディスク１００の半径方向にのみ移動するのであるが、説明の簡単化を目的として、包括的に「機構５０２が通過する」という表現を用いる）（６０４）。光マーキング機構５０２は、トラックの近傍を通過する間に、マーキングをトラックのピクセルまたは位置に適宜書き込む（６０６）。すなわち、機構５０２はマーキングをトラックの所望の位置に書き込む。
【００２７】
光マーキング機構５０２は、２回以上の所定の回数分トラックの近傍を通過して、各回において同じマーキング強度でトラックの同じピクセルまたは位置に書き込むべきである。したがって、光マーキング機構５０２がトラックの近傍を所定の回数分まだ通過していない場合（６０８）、方法６００は６０４および６０６を繰り返す。機構５０２がトラックの近傍を所定の回数分通過し（６０８）、マーキングを書き込むべきピクセルがあるトラックがさらにある場合（６１０）、光マーキング機構５０２は、マーキングを書き込むべきピクセルがある次のトラックに進められ（６１２）、方法６００は６０４において繰り返される。マーキングを書き込むべきピクセルがあるトラックがもうない場合（６１０）、方法６００は終了する（６１４）。
【００２８】
図７は、本発明の一実施形態による、図５の大容量記憶装置５００を製造する方法７００を示す。方法７００は、光マーキング機構５０２を設けること（７０２）、第１のモータ機構５０６を設けること（７０４）、第２のモータ機構５０８を設けること（７０６）、およびコントローラ５１０を設けること（７０８）を含む。一実施形態では、光マーキング機構５０２を設けることは、光ビームソース５０２Ａを設けること（７１０）、および対物レンズ５０２Ｂを設けること（７１２）を含むのに対して、第１のモータ機構５０６を設けることは、一実施形態では、スピンドル５０６Ａを設けること（７１４）、スピンドルモータ５０６Ｂを設けること（７１６）、およびロータリーエンコーダ５０６Ｃを設けること（７１８）を含む。最後に、第２のモータ機構５０８を設けることは、一実施形態では、スレッド５０８Ａを設けること（７２０）、スレッドモータ５０８Ｂを設けること（７２２）、およびリニアエンコーダ５０８Ｃを設けること（７２４）を含む。
【００２９】
特定の実施形態について本明細書に図示し説明したが、同じ目的を実現するために意図されたいずれの装置も、示した特定の実施形態と置き換えることができることが当業者に理解されることに留意されたい。本願は、本発明の開示した実施形態の適合形態または変形形態をいずれも包含することを意図する。したがって、本発明は特許請求の範囲およびその等価物によってのみ限定されることを明らかに意図する。
【図面の簡単な説明】
【００３０】
【図１】本発明の一実施の形態に係る、光学的に書き込み可能なレーベル面を有する光ディスクの図である。
【図２】本発明の一実施の形態に係る、光ディスクの光学的に書き込み可能なレーベル面のトラックの一部を詳細に示す図である。
【図３Ａ】本発明の一実施の形態に係る、マルチパス中の光ディスクの光学的に書き込み可能なレーベル面のトラックの同じ位置に対する書き込みを示す図である。
【図３Ｂ】本発明の一実施の形態に係る、マルチパス中の光ディスクの光学的に書き込み可能なレーベル面のトラックの同じ位置に対する書き込みを示す図である。
【図４】本発明の一実施の形態に係る、光ディスクのレーベル面の２つの光学的に書き込み可能なトラックの開始位置の図である。
【図５】本発明の一実施の形態に係る大容量記憶装置の図である。
【図６】本発明の一実施の形態に係る、光ディスクの光学的に書き込み可能なレーベル面に画像を光マーキングしてラベリングする方法のフローチャートである。
【図７】本発明の一実施の形態に係る、図５に示される大容量記憶装置を製造する方法のフローチャートである。
【符号の説明】
【００３１】
１００    光ディスク
１０２    レーベル面
１０４    データ面
１０６Ａ、１０６Ｂ、…、１０６Ｎ    同心円形トラック
５００    大容量記憶装置
５０２    光マーキング機構
５０２Ａ    ビームソース
５０２Ｂ    対物レンズ
５０４    光ビーム
５０６    第１のモータ機構
５０６Ａ    スピンドル
５０６Ｂ    スピンドルモータ
５０６Ｃ    ロータリーエンコーダ
５０８    第２のモータ機構
５０８Ａ    スレッド
５０８Ｂ    スレッドモータ
５０８Ｃ    リニアエンコーダ
５１０    コントローラ
【図１】
2005317192.tif 000003
【図２】
2005317192.tif 000004
【図３Ａ】
2005317192.tif 000005
【図３Ｂ】
2005317192.tif 000006
【図４】
2005317192.tif 000007
【図５】
2005317192.tif 000008
【図６】
2005317192.tif 000009
【図７】
2005317192.tif 000010